(57)【要約】      （修正有）【課題】裏打ち作業等の必要がなく、設置工事を簡便にできる量水標を提供する。【解決手段】表面側に水位標識が表された平板細長状の量水標１０であって、その幅方向の縁部２１を裏面側に折り返した折返部２２を設けた。【選択図】図２
0003224230.tif 000002
【実用新案登録請求の範囲】
【請求項１】
表面側に水位標識が表された平板細長状の量水標であって、
幅方向の縁部を裏面側に折り返した折返部を設けてなる量水標。
【請求項２】
請求項１に記載の量水標であって、
前記折返部に重ならない中央範囲が、裏面側に凸となる台形状に加工され、前記折返部を含めた裏面側が実質的に平面に形成されてなる量水標。
【考案の詳細な説明】
【技術分野】
【０００１】
本考案は、河川の水位を示す量水標に関する。
【背景技術】
【０００２】
河川やダムの水位を観測する目的で、護壁に量水標を設置することが広く行われている。量水標は、幅１３０ミリないし１５０ミリメートル、長さ１０００ミリメートル、厚さ１ないし２ミリメートル程度のステンレスまたはアルミ板であり、その表面に数字や目盛を印刷したものである。
【０００３】
このように従来の量水標は一般に薄板状であるため、凹凸のある護壁に量水標を設置すると、表面に曲げ変形が発生しやすいという問題がある。そこで、従来、凹凸のある護壁に量水標を設置する際には、裏側に塩ビ板を裏打ちするように設置している。
【０００４】
なお、固定面に対して上下方向に並べた状態で固定される複数枚の目盛板で構成した量水標であって、それぞれの目盛板の中央部を、その側縁部より手前側に凸とした量水標が特許文献１に開示されている。
【先行技術文献】
【特許文献】
【０００５】
【特許文献１】実用新案登録第３１６５９４９号明細書
【考案の概要】
【考案が解決しようとする課題】
【０００６】
上述のように、上記従来の量水標では、裏側に塩ビ板等を配しているため、設置時には塩ビ板の加工などの作業も必要となり、設置に手間がかかっていた。また、塩ビ板の厚さだけ護壁から離れてしまうため、川底やダムの底面を水位「０」として設置してしまうと、その水位の読み取り誤差が生じる場合がある。例えば塩ビ板の厚さをｔ、護壁の角度が垂直方向からθである場合、誤差はｔ×ｓｉｎ（θ）となるので、仮にθが３０度の場合、厚さｔ＝２０ミリメートルの塩ビ板を使用した場合、約１０ミリメートルの読み取り誤差を生じる。ダム等の管理では、この水位の差は無視できる値ではないため、設置時にこの誤差を考慮しなければならず、設置工事にさらに手間がかかるという問題点があった。
【０００７】
本考案は上記実情に鑑みて為されたもので、裏打ち作業等の必要なく、設置工事を簡便にできる量水標を提供することを、その目的の一つとする。
【課題を解決するための手段】
【０００８】
上記従来例の問題点を解決する本考案の一態様は、表面側に水位標識が表された平板細長状の量水標であって、幅方向の縁部を裏面側に折り返した折返部を設けたものである。
【０００９】
また、前記折返部に重ならない中央範囲が、裏面側に凸となる台形状に加工され、前記折返部を含めた裏面側が実質的に平面に形成されてもよい。
【考案の効果】
【００１０】
本考案によると、折返部により変形が抑制されるため裏打ち作業等の必要がなく、設置工事を簡便にできる。
【図面の簡単な説明】
【００１１】
【図１】本考案の実施の形態に係る量水標の例を表す斜視図である。
【図２】本考案の実施の形態に係る量水標の一例に係る断面図である。
【図３】本考案の実施の形態に係る量水標における固定位置を表す説明図である。
【図４】本考案の実施の形態に係る量水標のもう一つの例を表す断面図である。
【図５】本考案の実施の形態に係る量水標のさらにもう一つの例を表す断面図である。
【考案を実施するための形態】
【００１２】
本考案の実施の形態について図面を参照しながら説明する。なお、以下の説明及び図面において、各部のサイズや比率は例示されたものであり、実際には、適宜のサイズ、比率で設計され得る。
【００１３】
本考案の実施の形態に係る量水標１０は、図１に例示するように、平板細長状をなす本体部１１と、標識部１２とを含む。本体部１１は、その幅方向の縁部２１（水流が当たる方向）が長手方向に亘って、図２にその一例を例示するように、裏面側に、Ｐ曲げまたはヘミング曲げ加工などにより折り返されて折返部２２が形成される。
【００１４】
標識部１２は、耐水性を有するシート状の印刷物であり、水位を示す図形や文字等が印刷されてなる。この標識部１２は、本体部１１の表面側１１ａに貼り付けられる。図１は、本実施の形態の量水標１０の一部を表す斜視図であり、図２はその断面図を表す。
【００１５】
図２の例では、量水標１０の本体部１１の幅方向縁部２１が裏面側１１ｂ（標識部１２が貼り付けられた面とは反対側の面に向かって）折り返され、当該折返部２２が本体部１１の表面に積層された（重なり合った）状態とされている。また、その表面側１１ａは、平面となっている。
【００１６】
この例の量水標１０では、図３に例示するように、本体部１１を折り返して積層した位置Ｐに開口を形成し、この開口を通じてアンカーボルトＡを打ち込んで護岸Ｇに固定する。本実施の形態のこの例によると、幅方向（流水が当たる側）の両端部所定範囲を折り返して積層し、多層構造を形成したことで容易な加工により、十分な強度を確保し、量水標１０の変形が抑制されるため裏打ち作業等の必要がなく、設置工事を簡便にできる。
【００１７】
また、本実施の形態の別の例では、図４に例示するように、曲げ加工の際に生じる曲げコブ２２Ｒを、裏面側から表面側に押し出す加工を行ってもよい。これにより量水標１０の本体部１１の幅方向両端部近傍に、長手方向に延び、表面方向に凸となる凸部２３が形成された状態となる。またこの例では、両端の凸部２３の間に標識部１２を貼付する。
【００１８】
本実施の形態の一例では、この図４に例示したように、幅方向（流水が当たる側）の両端部に設けられた凸部２３の間に標識部１２が貼り付けられるので、標識部１２の側面に流水が当たり続けることによる標識部１２の剥離が生じにくい。
【００１９】
さらに本実施の形態のもう一つの例では、図５に例示するように、図２，図４に例示した状態からさらに、本体部１１の折返部２２が積層されない（折返部２２に重ならない）中央範囲が、裏面側に凸となる台形状に加工されて、折返部２２を含めた裏面側が実質的に平面に形成される。図５の例は、図４に例示した状態からさらに本体部１１の幅方向中央の所定範囲を表面から裏面側へ押圧して、台形状部分２４（表面側がやや凹となる部分）を形成する。
【００２０】
この図５の例では、両端の凸部２３の間（存在する場合）で、台形状部分２４の範囲に標識部１２を貼付する。この図５に示した例では、量水標１０の裏面側が護岸に当接した（あるいは断続的に接した）状態となるので、アンカーボルトを打ち込んだ状態で護岸から浮き上がった部分が少なくなり、流水があっても振動等もなく、また、標識部１２の側面に流水が直接当たることが避けられるので、標識部１２の剥離も生じにくい。
【００２１】
本実施の形態の以上の各例では、流水が当たる幅方向の両端部所定範囲を折り返して積層し、多層構造を備えた量水標１０としたので、十分な強度を確保でき、また量水標１０の本体の変形が抑制されて、裏打ち作業等の必要がなくなり、設置工事を簡便にできる。
【符号の説明】
【００２２】
１０  量水標、１１  本体部、１２  標識部、２１  縁部、２２  折返部、２３  凸部、２４  台形状部分。
【図１】
0003224230.tif 000003
【図２】
0003224230.tif 000004
【図３】
0003224230.tif 000005
【図４】
0003224230.tif 000006
【図５】
0003224230.tif 000007